(57)【要約】  【課題】  本の所定頁である原稿が読み取られて得られた原画像情報と設定入力された変倍率とに基づいて原画像情報に変倍処理を施し、変倍処理済画像情報に基づいて製版して印刷を行う孔版印刷装置において、上記原稿の原稿サイズが不明な場合においても、原稿領域以外の領域に対応する印刷領域を白く印刷するブック処理を適切に行う。  【解決手段】  ブックサイズ設定手段により操作者により設定入力されたブックサイズと変倍率とに基づいてブック領域を決定し、そのブック領域に基づいてブック処理を変倍処理済画像情報に施してブック処理済画像情報を生成し、そのブック処理済画像情報に基づいて製版して印刷を行う。【選択図】          図２
2005262550.tif 000002
【特許請求の範囲】
【請求項１】
本の所定頁である原稿が読み取られて得られた原画像情報と設定入力された変倍率とに基づいて前記原画像情報に変倍処理を施して変倍処理済画像情報を出力する変倍処理手段と、前記変倍処理済画像情報に基づいて孔版原紙に穿孔を施して製版を行う製版手段と、該製版手段により製版された製版済孔版原紙を用いて印刷を行う印刷手段とを備えた孔版印刷装置において、
前記本の所定頁の大きさを示すブックサイズを設定入力可能なブックサイズ設定手段と、
前記ブックサイズ設定手段により設定されたブックサイズと前記変倍率とに基づいてブック領域を決定するブック領域決定手段と、
該ブック領域決定手段により決定されたブック領域以外の領域に対応する印刷領域が白く印刷されるようなブック処理を前記変倍処理済画像情報に施してブック処理済画像情報を生成するブック処理手段と、
前記製版手段が前記ブック処理済画像情報に基づいて製版するよう前記製版手段を制御する製版制御手段とを備えたことを特徴とする孔版印刷装置。
【請求項２】
前記製版制御手段が、
前記ブックサイズ設定手段によりブックサイズが設定されている場合には、前記ブック処理済画像情報に基づいて製版するよう前記製版手段を制御し、前記ブックサイズ設定手段によりブックサイズが設定されていない場合には、前記変倍処理済画像情報に基づいて製版するよう前記製版手段を制御するものであることを特徴とする請求項１記載の孔版印刷装置。
【請求項３】
前記ブック領域決定手段により決定されたブック領域の中央線の位置を決定する中央位置決定手段と、
該中央位置決定手段により決定された中央線の位置に基づいて、該中央線の位置付近の中央部分に対応する印刷領域が白く印刷されるような中央消去処理を前記変倍処理済画像情報または前記ブック処理済画像情報に施して中央処理済画像情報を生成する中央消去処理手段とを有し、
前記製版制御手段が、前記中央処理済画像情報に基づいて製版するよう前記製版手段を制御するものであることを特徴とする請求項１または２記載の孔版印刷装置。
【請求項４】
前記ブックサイズと前記変倍率とに基づいて前記中央部分の幅を決定する中央幅決定手段を有し、
前記中央消去処理手段が、前記中央位置決定手段により決定された中央線の位置および前記中央幅決定手段により決定された幅に基づいて前記変倍処理済画像情報または前記ブック処理済画像情報に前記中央消去処理を施すものであることを特徴とする請求項３記載の孔版印刷装置。
【請求項５】
前記印刷に用いられる印刷用紙の用紙サイズを検出する用紙サイズ検出手段と、
前記原稿の原稿サイズを検出し、該検出された原稿サイズと前記変倍率とに基づいて原稿領域を決定する原稿領域決定手段と、
前記用紙サイズ検出手段により検出された用紙サイズと前記原稿領域決定手段により決定された原稿領域の大きさと前記ブック領域の大きさとに基づいて製版領域を決定する製版領域決定手段と、
該製版領域決定手段により決定された製版領域以外の領域に対応する印刷領域が白く印刷されるような製版領域処理を前記変倍処理済画像情報または前記ブック処理済画像情報に施して製版領域処理済画像情報を生成する製版領域処理手段とを有し、
前記製版制御手段が、前記製版領域処理済画像情報に基づいて製版するよう前記製版手段を制御するものであることを特徴とする請求項１または２記載の孔版印刷装置。
【請求項６】
前記ブック領域決定手段により決定されたブック領域の中央線の位置を決定する中央位置決定手段と、
該中央位置決定手段により決定された中央線の位置に基づいて、該中央線の位置付近の中央部分に対応する印刷領域が白く印刷されるような中央消去処理を前記変倍処理済画像情報、前記ブック処理済画像情報または前記製版領域処理済画像情報に施して中央処理済画像情報を生成する中央消去処理手段とを有し、
前記製版制御手段が、前記中央処理済画像情報に基づいて製版するよう前記製版手段を制御するものであることを特徴とする請求項５記載の孔版印刷装置。
【請求項７】
前記ブックサイズと前記変倍率とに基づいて前記中央部分の幅を決定する中央幅決定手段を有し、
前記中央消去処理手段が、前記中央位置決定手段により決定された中央線の位置および前記中央幅決定手段により決定された幅に基づいて前記変倍処理済画像情報、前記ブック処理済画像情報または前記製版領域処理済画像情報に前記中央消去処理を施すものであることを特徴とする請求項６記載の孔版印刷装置。
【請求項８】
前記用紙サイズ検出手段により検出された用紙サイズと前記原稿領域決定手段により決定された原稿領域の大きさとを比較し、前記原稿領域の大きさが前記用紙サイズよりも大きい場合には、前記用紙サイズの大きさに基づいて製版領域候補を決定し、前記原稿領域の大きさが前記用紙サイズよりも小さい場合には、前記原稿領域に基づいて製版領域候補を決定する製版領域候補決定手段を有し、
前記製版領域決定手段が、前記製版領域候補決定手段により決定された製版領域候補の大きさと前記ブック領域の大きさとを比較し、前記ブック領域の大きさが前記製版領域候補の大きさよりも大きい場合には、前記製版領域候補を製版領域とし、前記ブック領域の大きさが前記製版領域候補の大きさよりも小さい場合には、前記ブック領域の大きさを製版領域とするものであることを特徴とする請求項５から７いずれか１項記載の孔版印刷装置。
【請求項９】
前記印刷に用いられる印刷ドラムのドラムサイズを検出するドラムサイズ検出手段を有し、
前記製版領域決定手段が、前記ドラムサイズ検出手段により検出されたドラムサイズと前記用紙サイズ検出手段により検出された用紙サイズと前記原稿領域決定手段により決定された原稿領域の大きさと前記ブック領域の大きさとに基づいて製版領域を決定するものであることを特徴とする請求項５から７いずれか１項記載の孔版印刷装置。
【請求項１０】
前記ドラムサイズ検出手段により検出されたドラムサイズと前記用紙サイズ検出手段により検出された用紙サイズとを比較し、
前記用紙サイズが前記ドラムサイズよりも大きい場合には、前記ドラムサイズを前記用紙サイズとした上で該用紙サイズと前記原稿領域の大きさとを比較し、
前記原稿領域の大きさが前記用紙サイズよりも大きい場合には、前記用紙サイズの大きさに基づいて製版領域候補を決定し、前記原稿領域の大きさが前記用紙サイズよりも小さい場合には、前記原稿領域に基づいて製版領域候補を決定し、
前記用紙サイズが前記ドラムサイズよりも小さい場合には、前記用紙サイズ検出手段により検出された用紙サイズと前記原稿領域とを比較し、前記原稿領域の大きさが前記用紙サイズよりも大きい場合には、前記用紙サイズの大きさに基づいて製版領域候補を決定し、前記原稿領域の大きさが前記用紙サイズよりも小さい場合には、前記原稿領域に基づいて製版領域候補を決定する製版領域候補決定手段を有し、
前記製版領域決定手段が、前記製版領域候補決定手段により決定された製版領域候補の大きさと前記ブック領域の大きさとを比較し、前記ブック領域の大きさが前記製版領域候補の大きさよりも大きい場合には、前記製版領域候補を製版領域とし、前記ブック領域の大きさが前記製版領域候補の大きさよりも小さい場合には、前記ブック領域の大きさを製版領域とするものであることを特徴とする請求項９記載の孔版印刷装置。
【発明の詳細な説明】
【技術分野】
【０００１】
本発明は、入力された原画像情報と変倍率とに基づいて原画像情報に変倍処理を施して変倍処理済画像情報を生成し、その変倍処理済画像情報に基づいて製版して印刷を行う孔版印刷装置であって、特に、原稿がブック（本）である場合において、その原稿領域以外の領域に対応する印刷領域と原稿領域の中央部分に対応する印刷領域とを白く印刷する処理を行う孔版印刷装置に関するものである。
【背景技術】
【０００２】
従来より、スキャナなどにより原稿を読み取って得られた原画像情報に基づいて製版し、その製版された製版済孔版原紙を用いて印刷を行う孔版印刷装置が種々提案されている。
【０００３】
上記のような孔版印刷装置においては、デジタル信号である画像情報がサーマルヘッドに入力され、その入力された画像情報に基づいてサーマルヘッドが発熱し、その発熱によりサーマルヘッドとプラテンローラとの間に搬送された孔版原紙に感熱穿孔が施されて製版が行われる。そして、上記のようにして形成された製版済孔版原紙が印刷ドラムに巻着され、印刷ドラムの回転とともに印刷ドラム内部から印刷ドラムの表面にインクが供給される。そして、製版孔版原紙の穿孔部分からインクが押し出されるとともに、印刷用紙が印刷ドラムとプレスローラとの間を通過し、インクが穿孔部分を通過して印刷用紙に転移されて印刷が行われる。
【０００４】
そして、上記のような孔版印刷装置として、原稿が本である場合に原画像情報に所定の処理を施してから印刷を行うブックモードを備えた孔版印刷装置が提案されている。原稿が本である場合には、原稿圧板を開けた状態もしくは原稿圧板が原稿設置板から本の厚さ分浮いた状態で原稿の読み取りを行うことが多いため、原稿領域以外の領域に対応する印刷領域は、図１０（ａ）に示すように、黒または濃い灰色に印刷されてしまうことが多い。また、本の中央部分も原稿設置板から浮いた状態となるため上記中央部分に対応する印刷領域も、図１０（ａ）に示すように、黒もしくは濃い灰色になってしまう。ブックモードは、上記のような問題を回避するため、原稿領域以外の領域や中央部分に対応する印刷領域を白く印刷するための処理を行うモードである。図１０（ｂ）はブックモードにより処理を行った後、印刷を行った場合の印刷物を示す図である。
【０００５】
また、上記のような孔版印刷装置として、予め操作者により設定された変倍率に基づいて原画像情報に変倍（拡大・縮小）処理を施し、その変倍処理の施された変倍処理済画像情報に基づいて製版し、印刷を行うものも提案されている（特許文献１参照）。
【０００６】
ここで、上記のように変倍処理を行う孔版印刷装置において、上記のようなブックモードにより印刷を行う場合には、予めセンサなどによりＡ３、Ａ４、またはＢ４などといった原稿サイズを検出し、その原稿サイズおよび変倍率に基づいてブック処理を施すブック領域を決定し、そのブック領域以外の領域に対応する印刷領域が白く印刷されるようなブック処理を変倍処理済画像情報に施し、そのブック処理済画像情報に基づいて製版および印刷を行っていた。また、上記のようにして決定されたブック領域に基づいてその中央部分の位置および幅を決定し、その中央部分に対応する印刷領域が白く印刷されるような中央消去処理を変倍処理済画像情報に施し、その中央処理済画像情報に基づいて製版および印刷を行っていた。
【０００７】
【特許文献１】特開２０００−３２６６１３号公報
【発明の開示】
【発明が解決しようとする課題】
【０００８】
しかしながら、本はその中央部分で綴じられているため、Ａ３、Ａ４、またはＢ４などといった規定の原稿サイズに当てはまることが少なく、検出された原稿サイズが不明であることが多く、上記のように原稿サイズおよび変倍率に基づいてブック領域を決定することができない。そこで、上記のように原稿サイズが不明である場合には、たとえば、印刷用紙サイズを検出し、印刷用紙サイズを原稿サイズとみなし、印刷用紙サイズと変倍率とに基づいてブック領域を決定する方法が考えられるが、上記のようにしてブック領域を決定した場合には、たとえば、印刷用紙サイズに変倍率を掛け合わせた大きさより変倍処理済画像情報の方が小さい場合には、やはり周りが黒く印刷されてしまう。また、中央消去処理においてもブック領域に基づいてブックの中央位置や幅を決定するため、印刷用紙サイズに変倍率を掛け合わせた大きさより変倍処理済画像情報の方が小さい場合には、適切な中央位置や幅を決定することができず、黒く印刷すべき部分が白く印刷されたり、白く印刷すべき部分が黒く印刷されてしまう。
【０００９】
本発明は、入力された原画像情報と変倍率とに基づいて原画像情報に変倍処理を施して変倍処理済画像情報を生成し、その変倍処理済画像情報に基づいて製版を行って印刷を行う孔版印刷装置において、上記ブック処理や上記中央消去処理を適切に行うことができる孔版印刷装置を提供することを目的とするものである。
【課題を解決するための手段】
【００１０】
本発明の孔版印刷装置は、本の所定頁である原稿が読み取られて得られた原画像情報と設定入力された変倍率とに基づいて原画像情報に変倍処理を施して変倍処理済画像情報を出力する変倍処理手段と、変倍処理済画像情報に基づいて孔版原紙に穿孔を施して製版を行う製版手段と、製版手段により製版された製版済孔版原紙を用いて印刷を行う印刷手段とを備えた孔版印刷装置において、本の所定頁の大きさを示すブックサイズを設定入力可能なブックサイズ設定手段と、ブックサイズ設定手段により設定されたブックサイズと変倍率とに基づいてブック領域を決定するブック領域決定手段と、ブック領域決定手段により決定されたブック領域以外の領域に対応する印刷領域が白く印刷されるようなブック処理を変倍処理済画像情報に施してブック処理済画像情報を生成するブック処理手段と、製版手段がブック処理済画像情報に基づいて製版するよう製版手段を制御する製版制御手段とを備えたことを特徴とする。
【００１１】
また、上記孔版印刷装置においては、製版制御手段を、ブックサイズ設定手段によりブックサイズが設定されている場合には、ブック処理済画像情報に基づいて製版するよう製版手段を制御し、ブックサイズ設定手段によりブックサイズが設定されていない場合には、変倍処理済画像情報に基づいて製版するよう製版手段を制御するものとすることができる。
【００１２】
また、ブック領域決定手段により決定されたブック領域の中央線の位置を決定する中央位置決定手段と、中央位置決定手段により決定された中央線の位置に基づいて、その中央線の位置付近の中央部分に対応する印刷領域が白く印刷されるような中央消去処理を変倍処理済画像情報またはブック処理済画像情報に施して中央処理済画像情報を生成する中央消去処理手段とを有するものとし、製版制御手段を、中央処理済画像情報に基づいて製版するよう製版手段を制御するものとすることができる。
【００１３】
また、ブックサイズと変倍率とに基づいて中央部分の幅を決定する中央幅決定手段を有するものとし、中央消去処理手段を、中央位置決定手段により決定された中央線の位置および中央幅決定手段により決定された幅に基づいて変倍処理済画像情報またはブック処理済画像情報に中央消去処理を施すものとすることができる。
【００１４】
また、印刷に用いられる印刷用紙の用紙サイズを検出する用紙サイズ検出手段と、原稿の原稿サイズを検出し、その検出された原稿サイズと変倍率とに基づいて原稿領域を決定する原稿領域決定手段と、用紙サイズ検出手段により検出された用紙サイズと原稿領域決定手段により決定された原稿領域の大きさとブック領域の大きさとに基づいて製版領域を決定する製版領域決定手段と、製版領域決定手段により決定された製版領域以外の領域に対応する印刷領域が白く印刷されるような製版領域処理を変倍処理済画像情報またはブック処理済画像情報に施して製版領域処理済画像情報を生成する製版領域処理手段とを有するものとし、製版制御手段を、製版領域処理済画像情報に基づいて製版するよう製版手段を制御するものとすることができる。
【００１５】
また、ブック領域決定手段により決定されたブック領域の中央線の位置を決定する中央位置決定手段と、中央位置決定手段により決定された中央線の位置に基づいて、中央線の位置付近の中央部分に対応する印刷領域が白く印刷されるような中央消去処理を変倍処理済画像情報、ブック処理済画像情報または製版領域処理済画像情報に施して中央処理済画像情報を生成する中央消去処理手段とを有するものとし、製版制御手段を、中央処理済画像情報に基づいて製版するよう製版手段を制御するものとすることができる。
【００１６】
また、ブックサイズと変倍率とに基づいて中央部分の幅を決定する中央幅決定手段を有し、中央消去処理手段を、中央位置決定手段により決定された中央線の位置および中央幅決定手段により決定された幅に基づいて変倍処理済画像情報、ブック処理済画像情報または製版領域処理済画像情報に中央消去処理を施すものとすることができる。
【００１７】
また、用紙サイズ検出手段により検出された用紙サイズと原稿領域決定手段により決定された原稿領域の大きさとを比較し、原稿領域の大きさが用紙サイズよりも大きい場合には、用紙サイズの大きさに基づいて製版領域候補を決定し、原稿領域の大きさが用紙サイズよりも小さい場合には、原稿領域に基づいて製版領域候補を決定する製版領域候補決定手段を有するものとし、製版領域決定手段を、製版領域候補決定手段により決定された製版領域候補の大きさとブック領域の大きさとを比較し、ブック領域の大きさが製版領域候補の大きさよりも大きい場合には、製版領域候補を製版領域とし、ブック領域の大きさが製版領域候補の大きさよりも小さい場合には、ブック領域の大きさを製版領域とするものとすることができる。
【００１８】
また、印刷に用いられる印刷ドラムのドラムサイズを検出するドラムサイズ検出手段を有するものとし、製版領域決定手段を、ドラムサイズ検出手段により検出されたドラムサイズと用紙サイズ検出手段により検出された用紙サイズと原稿領域決定手段により決定された原稿領域の大きさとブック領域の大きさとに基づいて製版領域を決定するものとすることができる。
【００１９】
また、ドラムサイズ検出手段により検出されたドラムサイズと用紙サイズ検出手段により検出された用紙サイズとを比較し、用紙サイズがドラムサイズよりも大きい場合には、ドラムサイズを用紙サイズとした上でその用紙サイズと原稿領域の大きさとを比較し、原稿領域の大きさが用紙サイズよりも大きい場合には、用紙サイズの大きさに基づいて製版領域候補を決定し、原稿領域の大きさが用紙サイズよりも小さい場合には、原稿領域に基づいて製版領域候補を決定し、用紙サイズがドラムサイズよりも小さい場合には、用紙サイズ検出手段により検出された用紙サイズと原稿領域とを比較し、原稿領域の大きさが用紙サイズよりも大きい場合には、用紙サイズの大きさに基づいて製版領域候補を決定し、原稿領域の大きさが用紙サイズよりも小さい場合には、原稿領域に基づいて製版領域候補を決定する製版領域候補決定手段を有するものとし、製版領域決定手段を、製版領域候補決定手段により決定された製版領域候補の大きさとブック領域の大きさとを比較し、ブック領域の大きさが製版領域候補の大きさよりも大きい場合には、製版領域候補を製版領域とし、ブック領域の大きさが製版領域候補の大きさよりも小さい場合には、ブック領域の大きさを製版領域とするものとすることができる。
【００２０】
ここで、上記「変倍率」とは、拡大、縮小処理を行う際の拡大率、縮小率のことをいい、等倍率も含む。
【００２１】
また、上記「ブック領域」、上記「原稿領域」、上記「製版領域」を決定するとは、それぞれ領域の範囲および位置を決定することを意味するが、位置については予め設定された位置を用いて決定するようにしてもよい。
【００２２】
また、上記「用紙サイズ」または上記「原稿サイズ」を検出するとは、たとえば、Ａ３、Ａ４またはＢ４などといったサイズを検出することをいうが、これらを直接検出する場合に限らず、印刷用紙や原稿の長さなどといった上記サイズを示す情報を検出することにより、上記サイズを間接的に検出するようにしてもよい。
【００２３】
また、上記「ドラムサイズ」とは、たとえば、Ａ３、Ａ４またはＢ４などといった、そのドラムに専用に巻着される製版済孔版原紙のサイズのことをいう。また、上記「ドラムサイズ」を検出するとは、Ａ３、Ａ４またはＢ４などといったサイズを直接検出する場合に限らず、印刷ドラムの種類などといった上記サイズに関連する情報を検出することにより、上記サイズを間接的に検出するようにしてもよい。
【発明の効果】
【００２４】
本発明の孔版印刷装置によれば、ブックサイズ設定手段により設定されたブックサイズと変倍率とに基づいてブック領域を決定し、そのブック領域に基づいてブック処理を変倍処理済画像情報に施してブック処理済画像情報を生成し、そのブック処理済画像情報に基づいて製版するようにしたので、上記のように原稿サイズが検出されず、原稿サイズに基づいてブック処理を施すことができないような場合においても、上記のようにして決定されたブック領域に基づいて変倍処理済画像情報に適切なブック処理を施すことができる。
【００２５】
また、上記孔版印刷装置において、上記のようにして決定されたブック領域に基づいてその中央線の位置を決定し、その中央線の位置に基づいて中央消去処理を変倍処理済画像情報またはブック処理済画像情報に施して中央処理済画像情報を生成し、その中央処理済画像情報に基づいて製版するようにした場合には、上記のように原稿サイズが検出されず、原稿サイズに基づいて中央消去処理を施すことができないような場合においても、上記のようにして決定されたブック領域に基づいて適切な位置に中央消去処理を施すようにすることができる。
【００２６】
また、上記のようにして設定されたブックサイズと変倍率とに基づいて中央部分の幅を決定し、上記のように決定された中央線の位置および幅に基づいて中央消去処理を施すようにした場合には、さらに適切な幅で中央消去処理を施すようにすることができる。
【００２７】
また、印刷に用いられる印刷用紙の用紙サイズと原稿の原稿サイズおよび変倍率に基づいて決定された原稿領域の大きさと上記ブック領域の大きさとに基づいて製版領域を決定し、製版領域以外の領域に対応する印刷領域が白く印刷されるような製版領域処理を施して製版領域処理済画像情報を生成し、その製版領域処理済画像情報に基づいて製版するようにした場合には、上記製版領域を用紙サイズの大きさよりも小さくなるようにすれば、印刷用紙の範囲以外の範囲に対応する製版済孔版原紙の穿孔から出てきたインクがプレスローラにインクが付着して印刷用紙を汚してしまうことを防止することができる。また、たとえば、原稿領域がブック領域よりも小さい場合には、上記のようにブック領域に基づいてブック処理を施しても、やはり、原稿領域より広くブック領域よりも狭い領域に対応する印刷領域が黒く印刷されてしまうが、上記のようにして原稿領域も考慮して製版領域を決定するようにした場合には、そのような問題を回避することができる。
【００２８】
また、印刷に用いられる印刷ドラムのドラムサイズを検出し、そのドラムサイズも考慮して製版領域を決定するようにした場合には、ドラムサイズよりも大きい範囲で製版されてしまうのを防止することができる。
【発明を実施するための最良の形態】
【００２９】
以下、図面を参照しながら本発明の孔版印刷装置の一実施形態について説明する。図１は本孔版印刷装置の全体構成を示す図である。
【００３０】
孔版印刷装置１は、図１に示すように、原稿の画像を読み取る画像読取部１０、画像読取部１０で読み取られた画像情報に基づいて孔版原紙に製版を施す製版手段２０、製版手段２０において製版された製版済孔版原紙を用いて印刷用紙に印刷を施す印刷手段３０、印刷手段３０に印刷用紙を給紙する給紙部４０、印刷済みの印刷用紙を排出する排紙部５０、およびブックモードおよびブックサイズなどを設定可能な設定部６０を備えている。
【００３１】
画像読取部１０は、たとえば、フラットベッドタイプのスキャナ装置で構成され、主走査方向に延設された多数のＣＣＤなどの光電変換素子を有するイメージラインセンサ１１と、イメージラインセンサ１１を副走査方向（矢印Ｙ方向）に移動させるベルト式の移動機構１２とを備えている。
【００３２】
製版手段２０は、孔版原紙がロール状に巻かれた孔版原紙ロールが回転可能に支持された原紙ロール部２１と、画像読取部１０において読み取られた画像情報に基づいて選択的に発熱する複数個の発熱体が一列配列されてなるサーマルヘッドを有する製版ユニット２２と、原紙ロール部２１から送り出された原紙を搬送するプラテンローラ２３と、プラテンローラ２３により搬送された孔版原紙を所定の長さで切断する原紙カッタ２４とを有している。
【００３３】
印刷手段３０は、多孔金属板、メッシュ構造体などのインク通過性の円筒状の印刷ドラム３１、印刷ドラム３１の内部に配置されたスキージローラ３２とドクターローラ３３とインク供給ポンプ（図示省略）とを有するインク供給装置３４、およびプレスローラ３６を有している。印刷ドラム３１の外周には製版済孔版原紙Ｍが巻着されるようになっている。また、印刷ドラム３１は着脱可能に設置されており、孔版印刷装置１には、複数種類の印刷ドラム３１が着脱可能である。複数種類の印刷ドラム３１とは、それぞれ印刷領域、つまりインク通過領域がＡ３サイズのもの、Ａ４サイズのものなど異なるものであり、必要に応じて交換される。
【００３４】
給紙手段４０は、印刷用紙Ｐが載置される給紙台４１と、給紙台４１より印刷用紙Ｐを一枚ずつ取り出すピックアップローラ４２と、印刷用紙Ｐを印刷ドラム３１とプレスローラ３６との間に送り出すタイミングローラ４３とを有している。
【００３５】
排紙手段５０は、印刷済印刷用紙Ｑを印刷ドラム３１より剥ぎ取る分離爪５１と、排紙送りベルト部５２と、印刷済印刷用紙Ｑが積載される排紙台５３とを有している。
【００３６】
設定手段６０は、液晶パネルからなる操作パネルであり、印刷枚数などの印刷に関する種々の事項や印刷開始および停止などを設定可能なものである。設定手段６０は、図２に示すように、ブックモードを選択可能なブックモード設定手段６１、ブックサイズを設定可能なブックサイズ設定手段６２、および画像読取手段１０により原稿を読み取る際の変倍率を設定可能な変倍率設定手段６３を備えている。
【００３７】
また、孔版印刷装置１は、図１に示すように、製版手段２０における製版動作を制御する制御手段７０を備えている。制御手段７０の具体的な構成を示したブロック図を図２に示す。
【００３８】
制御手段７０は、図２に示すように、設定手段６０において設定されたブックサイズと変倍率とに基づいてブック領域を決定するブック領域決定手段７１、ブック領域決定手段７１により決定されたブック領域以外の領域に対応する印刷領域が白く印刷されるようなブック処理を施すブック処理手段７２、ブック領域決定手段７１により決定されたブック領域の中央線の位置を決定する中央位置決定手段７３、設定手段６０において設定されたブックサイズと変倍率とに基づいて上記中央線の位置を中心とする中央部分の幅を決定する中央幅決定手段７４、中央位置決定手段７３により決定された中央線の位置および中央幅決定手段７４により決定された中央部分の幅とに基づいて、上記中央部分に対応する印刷領域が白く印刷されるような中央消去処理を施す中央消去処理手段７５、製版手段２０を制御する製版制御手段７６、および画像読取手段１０において読み取られた原画像情報に変倍処理などを施す画像処理手段７７を備えている。
【００３９】
次に、本孔版印刷装置１の作用を、図３に示すフローチャートを用いて説明する。
【００４０】
まず、装置の操作者により設定手段６０において印刷枚数などの種々の設定が行われるとともに、ブックモードで印刷を行う場合には、ブックモード設定手段６１においてブックモードが選択され、ブックモードで印刷を行うことを示す信号が制御手段７０に出力される（Ｓ１）。そして、操作者によりブックサイズ設定手段６２においてＡ３、Ａ４またはＢ４などといったブックサイズ（実際に印刷を行う本の頁のサイズ）が設定入力されるとともに、原稿に掛け合わされる変倍率が変倍率設定手段６３において設定入力され、これらの情報も制御手段７０に入力される（Ｓ２）。そして、操作者により製版スタートボタン（図示省略）が押下されると（Ｓ３）、イメージラインセンサ１１が移動機構１２により副走査方向（矢印Ｙ方向）に移動し、画像読取手段１０の原稿積載台（図示省略）に積載された本の所定頁である原稿がイメージラインセンサ１１により読み取られる（Ｓ４）。
【００４１】
画像読取手段１０において読み取られた原画像情報は、画像処理手段７７に入力され、画像処理手段７７は入力された原画像情報に濃度補正処理を施した後（Ｓ５）、設定手段６０から入力された変倍率に基づいて変倍処理手段７７ａにより原画像情報に変倍処理を施し（Ｓ６）、その変倍処理済画像情報に２値化処理を施す（Ｓ７）。
【００４２】
そして、設定手段６０で設定されたブックサイズおよび変倍率が制御手段７０のブック領域決定手段７１に入力され、ブック領域決定手段７１は、ブックサイズと変倍率を掛け合わせ、その演算結果をブック領域として決定し（Ｓ８）。その決定されたブック領域はブック処理手段７２に入力される。
【００４３】
そして、画像処理手段７７により２値化処理の施された変倍処理済画像情報がブック処理手段７２に入力され、ブック処理手段７２は、入力されたブック領域を用いて変倍処理済画像情報にブック処理を施し、ブック処理済画像情報を中央消去処理手段７５に出力する（Ｓ９）。
【００４４】
また、ブック領域決定手段７１により決定されたブック領域は、中央位置決定手段７３にも入力され、中央位置決定手段７３は入力されたブック領域の中央線の位置を決定する（Ｓ１０）。また、設定手段６０から出力されたブックサイズおよび変倍率は中央幅決定手段７４にも入力され、中央幅決定手段７４は、ブックサイズおよび変倍率に基づいて中央部分の幅を決定する（Ｓ１０）。なお、中央幅決定手段７４には所定のブックサイズおよび変倍率に対応した中央部分の幅が予め設定されている。また、中央幅決定手段７４は、ブック領域決定手段７１からブック領域を受け取り、そのブック領域に基づいて中央部分の幅を決定するようにしてもよい。
【００４５】
そして、中央位置決定手段７３により決定された中央線の位置および中央幅決定手段７４により決定された中央部分の幅は、中央消去処理手段７５に入力され、中央消去処理手段７５は入力された中央線の位置および中央部分の幅に基づいてブック処理済画像情報に中央消去処理を施して中央処理済画像情報を製版制御手段７６に出力する（Ｓ１１）。
【００４６】
そして、製版制御手段７６は、入力された中央処理済画像情報に基づいて製版が行われるよう製版手段２０に制御信号を出力する（Ｓ１２）。
【００４７】
一方、製版手段２０においては、原紙ロール部２１の孔版原紙ロールから孔版原紙が繰り出され、製版ユニット２２まで搬送される。製版ユニット２２においては、製版制御手段７６からの制御信号に基づいてサーマルヘッドの発熱体が選択的に発熱し、孔版原紙に穿孔が施され製版が形成され、その形成された製版はプラテンローラ２３により印刷ドラム３１の方に向かって搬送され、原紙カッタ２４によりカットされた後、印刷ドラム３１に巻着される。
【００４８】
そして、インク供給装置３４により印刷ドラム３１の内側に所定の色のインクが供給される。印刷ドラム３１が図１における反時計回りの方向へ回転駆動されると印刷ドラム３１の回転に同期して所定のタイミングにて印刷用紙Ｐがピックアップローラ４２により給紙手段４０から取り出され、タイミングローラ４３により図１における左から右へ移動して印刷ドラム３１とプレスローラ３６との間に供給される。そして、印刷用紙Ｐがドラムの外周面に巻き付けられている製版に対し、プレスローラ３６によって圧接されることにより、印刷用紙Ｐに対して孔版印刷が行われる（Ｓ１３）。
【００４９】
印刷済印刷用紙Ｑは分離爪５１により剥ぎ取られ、排紙送りベルト部５２により排紙台５３へと搬送され、排紙台５３の上に積載される。
【００５０】
また、ブックモードで印刷を行わない場合には、ブックモード設定手段６１において通常モードが選択され、通常モードで印刷を行うことを示す信号が制御手段７０に出力される（Ｓ１）。そして、操作者により原稿に掛け合わされる変倍率が変倍率設定手段６３において設定入力され、制御手段７０に入力される（Ｓ１４）。そして、操作者により製版スタートボタン（図示省略）が押下されると（Ｓ１５）イメージラインセンサ１１が移動機構１２により副走査方向（矢印Ｙ方向）に移動し、画像読取手段１０の原稿積載台（図示省略）に積載された原稿がイメージラインセンサ１１により読み取られ（Ｓ１６）、その読み取られた原画像情報は制御手段７０に出力される。
【００５１】
画像読取手段１０において読み取られた原画像情報は、画像処理手段７７に入力され、画像処理手段７７は、入力された原画像情報に濃度補正処理を施した後（Ｓ１７）、設定手段６０から入力された変倍率に基づいて変倍処理手段７７ａにより原画像情報に変倍処理を施し（Ｓ１８）、その変倍処理済画像情報に２値化処理を施す（Ｓ１９）。
【００５２】
そして、２値化処理の施された変倍処理済画像情報が、製版制御手段７６に入力され、製版制御手段７６は、変倍処理済画像情報に基づいて製版が行われるように製版手段２０に制御信号を出力する（Ｓ２０）。そして、上記と同様にして孔版印刷が行われる（Ｓ２１）。
【００５３】
なお、上記実施形態においてブックモードで印刷を行う場合には、変倍処理済画像情報にブック処理を施した後、中央消去処理を施すようにしたが、これに限らず、変倍処理済画像情報に中央消去処理を施した後、ブック処理を施すようにしてもよい。また、中央消去処理を施さずに、ブック処理のみを行うようにしてもよい。
【００５４】
また、上記実施形態においては、中央消去処理の際、中央部分の位置と幅の両方を、ブックサイズと変倍率とから決定するようにしたが、中央部分の位置のみを決定するようにし、中央部分の幅については予め設定された値を利用するようにしてもよい。
【００５５】
また、上記実施形態の孔版印刷装置において、図４に示すように、印刷に用いられる印刷用紙の用紙サイズを検出する用紙サイズ検出手段２００と、原稿の原稿サイズを検出してその検出された原稿サイズと変倍率とに基づいて原稿領域を決定する原稿領域決定手段８０とを設け、印刷用紙の用紙サイズおよび原稿サイズも考慮して製版するようにしてもよい。具体的には、ブックモードで印刷を行う場合には、図５のフローチャートに示すように、図３に示すフローチャートのＳ９においてブック処理を施した後、そのブック処理済画像情報を製版領域処理手段８１に出力するとともに、製版領域候補決定手段７８において、用紙サイズ検出手段２００により予め検出された用紙サイズと原稿領域決定手段８０において決定された原稿領域とを比較する（Ｓ２２）。そして、原稿領域が用紙サイズの大きさより大きい場合には、用紙サイズを製版領域候補として決定し（Ｓ２３）、原稿領域が用紙サイズ以下である場合には、原稿領域を製版領域候補として決定する（Ｓ２４）。なお、原稿領域決定手段８０は、自動的に検出された原稿サイズと変倍率とを掛け合わせて原稿領域を決定するものであり、原稿サイズの検出の仕方については後述する。
【００５６】
そして、次に、製版領域決定手段７９においてブック領域の大きさと製版領域候補の大きさとを比較し（Ｓ２５）、ブック領域の大きさが製版領域候補の大きさより大きい場合には、製版領域候補を製版領域とし、その製版領域は製版領域処理手段８１に出力され、製版領域処理手段８１において上記製版領域に基づいて、上記製版領域以外の領域に対応する印刷領域が白く印刷されるような製版領域処理がブック処理済画像情報に施され、その製版領域処理の施された製版領域処理済画像情報が中央消去処理手段７５に出力される（Ｓ２６）。そして、上記と同様にして変倍率とブックサイズとから中央位置および中央幅が決定され（Ｓ１０）、製版領域処理済画像情報に中央消去処理が施された後（Ｓ１１）、その中央処理済画像情報が製版制御手段７６に出力され、製版制御手段７６により製版手段２０が制御されて中央処理済画像情報に基づいて製版され（Ｓ１２）、その製版を用いて印刷手段３０において印刷が行われる（Ｓ１３）。
【００５７】
また、ブック領域の大きさが製版領域候補の大きさ以下である場合には、ブック領域を製版領域とし、その製版領域は製版領域処理手段８１に出力され、製版領域処理手段８１において上記製版領域に基づいて製版領域処理がブック処理済画像情報に施され、製版領域処理済画像情報が中央消去処理手段７５に出力される（Ｓ２９）。そして、上記と同様にして変倍率とブックサイズとから中央位置および中央幅が決定され（Ｓ１０）、製版領域処理済画像情報に中央消去処理が施された後（Ｓ１１）、その中央処理済画像情報が製版制御手段７６に出力され、製版制御手段７６により製版手段２０が制御されて中央処理済画像情報に基づいて製版され（Ｓ１２）、その製版を用いて印刷手段３０において印刷が行われる（Ｓ１３）。
【００５８】
ここで、上記実施形態により製版領域を決定した場合における印刷用紙サイズ、原稿サイズ、ブックサイズおよび製版領域の関係を示す表を以下に示す。
【表１】
2005262550.tif 000003
【００５９】
なお、上記表に示す製版領域を決定する場合において、原稿サイズが不明な場合には、印刷用紙サイズ×変倍率を原稿領域としている。また、上記表において製版領域の大きさと印刷用紙サイズが同じ大きさになる場合においては、製版領域の大きさまたは印刷用紙サイズから余白領域を引いた領域を製版領域として置き換えるようにしてもよい。
【００６０】
また、上記実施形態の原稿領域決定手段８０において検出される原稿サイズは、具体的には、図６に示すように、複数個のフォトセンサ１０２〜１０５を原稿サイズに合わせて配設し、原稿積載台に設けられた原稿ストッパー１０１のコーナーガイドに原稿の端面（縦、横）をそれぞれ合わせたときのフォトセンサ１０２〜１０５の状態変化を検出することにより検出するようにすればよい。また、原画像情報の画素データの数に基づいて原稿サイズを算出するようにしてもよい。
【００６１】
また、用紙サイズ検出手段２００は、給紙台４１に設けられ、給紙台４１に積載された印刷用紙Ｐの用紙サイズ（幅、長さ）を検知するものである。具体的には、図７（ａ）および（ｂ）に示すように、積載された印刷用紙Ｐの幅方向の両端に当接して印刷用紙Ｐをガイド保持するように板状に形成された一対の幅方向フェンス２０１が対応配置され、各幅方向フェンスには棒状のフェンスラック２０２が設けられている。フェンスラック２０２は、給紙台４１の表面に沿って印刷用紙Ｐの幅方向に延出して給紙台４１内に設けられている。フェンスラック２０２は、ラック歯同士が対向した状態で印刷用紙Ｐの長さ方向に所定間隔をおいて固定されている。また、給紙台４１の給紙側における先端部の中央部分には、各フェンスラック２０２のラック歯に噛合する回転式の円形ギア２０３が設けられている。円形ギア２０３には、円形ギア２０３の回転に連動して出力（電圧）が変化するポテンショメータ２０４が取り付けられている。
【００６２】
印刷用紙Ｐの長さ方向の一端を給紙台４１の給紙側の一端部に揃え、給紙台４１に対して印刷用紙Ｐの用紙幅の中央を基準として幅方向フェンス２０１を印刷用紙Ｐに併せて動作させると、それぞれのフェンスラック２０２が相反する方向に同時に移動して円形ギア２０３が回転する。これにより、円形ギア２０３に取り付けられたポテンショメータ２０４の出力が変化する。そして、幅方向フェンス２０１が印刷用紙Ｐの幅方向両端に当接したときのポテンショメータ２０４の出力により印刷用紙Ｐの用紙幅が検出できる。
【００６３】
そして、給紙台４１の他端部の中央には、積載された印刷用紙Ｐの長さ方向に当接して印刷用紙Ｐを長さ方向にガイド保持するように板状に形成された長さ方向フェンス２０５が設けられている。長さ方向フェンス２０５には棒状のフェンスラック２０６が設けられている。フェンスラック２０６は、給紙台４１の表面に沿って印刷用紙Ｐの長さ方向に延出して給紙台４１内に設けられている。フェンスラック２０６のラック歯には、回転式の円形ギア２０７が噛合して設けられている。円形ギア２０７は、円形ギア２０７の回転に連動して出力（電圧）が変化するポテンショメータ２０８が取り付けられている。印刷用紙Ｐの長さ方向の一端を給紙台４１の給紙側の一端部に揃え、給紙台４１に対して印刷用用紙Ｐの用紙幅の中央を基準として長さ方向フェンス２０５を印刷用紙の併せて動作させると、フェンスラック２０６が移動して円形ギア２０７が回転する。これにより、円形ギア２０７に取り付けられたポテンショメータ２０８の出力が変化する。そして、長さ方向フェンス２０５が印刷用紙Ｐの長さ方向の他端に当接したときのポテンショメータの出力により印刷用紙Ｐの用紙長さが検出される。そして、上記のようにして検出された印刷用紙Ｐの用紙幅および用紙長さに基づいてＡ３、Ａ４、またはＢ４などの用紙サイズを求めることができる。
【００６４】
また、用紙サイズの検出は、必ずしも上記のように自動的に検出するようにしなくてもよく、操作者により設定入力された用紙サイズを用紙サイズ検出手段２００により検出するようにしてもよい。
【００６５】
また、印刷用紙サイズを考慮して通常モードで印刷を行う場合には、図３に示すフローチャートのＳ１９において変倍処理済画像情報に２値化処理を施した後、図４に示す製版領域決定手段７９において、用紙サイズ検出手段２００により予め検出された用紙サイズと原稿領域とを比較し、原稿領域が用紙サイズの大きさより大きい場合には、用紙サイズを製版領域として決定し、原稿領域が用紙サイズ以下である場合には、原稿領域を製版領域として決定し、その製版領域に基づいて変倍処理済済画像情報に製版領域処理を施して製版領域処理済画像情報を生成し、その製版領域処理済画像情報に基づいて製版して印刷するようにすればよい。
【００６６】
また、上記実施形態においては、変倍処理済画像情報にブック処理を施した後、製版領域処理を施し、その後、中央消去処理を施すようにしたが、これらの処理の順番はこれに限らず、どの順番で行うようにしてもよい。
【００６７】
また、さらに印刷ドラムのサイズも考慮して製版を形成するようにしてもよい。具体的には、図８に示すように、図１に示す印刷ドラム３１のドラムサイズを検出するドラムサイズ検出手段３００を設け、図９に示すフローチャートのように、図３に示すフローチャートのＳ９においてブック処理を施した後、製版領域候補決定手段７８において、ドラムサイズ検出手段３００により検出されたドラムサイズと印刷用紙サイズ検出手段１００により検出された用紙サイズとを比較し（Ｓ３２）、ドラムサイズが用紙サイズ以上である場合には、用紙サイズと原稿領域とを比較し（Ｓ３３）、原稿領域の大きさが用紙サイズの大きさより大きい場合には、用紙サイズを製版領域候補として決定し（Ｓ３４）、原稿領域の大きさが用紙サイズ以下である場合には、原稿領域を製版領域候補として決定する（Ｓ３５）。上記のようにして製版領域候補を決定してから後は、上記Ｓ２５以後の処理と同様である。
【００６８】
また、ドラムサイズが用紙サイズより小さい場合には、ドラムサイズを用紙サイズとした上で（Ｓ３６）その用紙サイズと原稿領域の大きさとを比較し（Ｓ３３）、原稿領域の大きさが用紙サイズの大きさより大きい場合には、用紙サイズを製版領域候補として決定し（Ｓ３４）、原稿領域の大きさが用紙サイズ以下である場合には、原稿領域を製版領域候補として決定する（Ｓ３５）。上記のようにして製版領域候補を決定してから後は、上記Ｓ２５以後の処理と同様である。
【００６９】
なお、ドラムサイズ検出手段３００としては、たとえば、複数のディップスイッチを設け、その複数のディップスイッチのオン・オフの組み合わせによりドラムサイズを検出するようにしてもよいし、印刷ドラム３１にドラムサイズを記憶したメモリなどの記憶手段を設け、この記憶手段からドラムサイズを読み取るようにしてもよい。また、センサなどを利用して検出するようにしてもよい。また、操作者により設定入力されたドラムサイズを検出するようにしてもよい。
【００７０】
また、印刷用紙サイズおよびドラムサイズを考慮して通常モードで印刷を行う場合には、図３に示すフローチャートのＳ１９において変倍処理済画像情報に２値化処理を施した後、図８に示す製版領域決定手段７９において、ドラムサイズ検出手段３００により検出されたドラムサイズと印刷用紙サイズ検出手段１００により検出された用紙サイズとを比較し、ドラムサイズが用紙サイズ以上である場合には、用紙サイズと原稿領域の大きさとを比較し、原稿領域の大きさが用紙サイズの大きさより大きい場合には、用紙サイズを製版領域として決定し、原稿領域の大きさが用紙サイズ以下である場合には、原稿領域の大きさを製版領域として決定する。
【００７１】
また、ドラムサイズが用紙サイズより小さい場合には、ドラムサイズを用紙サイズとした上でその用紙サイズと原稿領域の大きさとを比較し、原稿領域の大きさが用紙サイズの大きさより大きい場合には、用紙サイズを製版領域として決定し、原稿領域の大きさが用紙サイズ以下である場合には、原稿領域を製版領域として決定し、その製版領域に基づいて変倍処理済済画像情報に製版領域処理を施して製版領域処理済画像情報を生成し、その製版処理済画像情報に基づいて製版して印刷するようにすればよい。
【図面の簡単な説明】
【００７２】
【図１】本発明の孔版印刷装置の一実施形態の概略構成を示す図
【図２】図１に示す孔版印刷装置の設定手段および制御手段のブロック図
【図３】本発明の孔版印刷装置の作用を説明するためのフローチャート
【図４】本発明の孔版印刷装置のその他の実施形態のブロック図
【図５】図４に示す実施形態の孔版印刷装置の作用を説明するためのフローチャート
【図６】図４に示す実施形態の孔版印刷装置における原稿サイズの検出方法を説明する図
【図７】図４に示す実施形態の孔版印刷装置における用紙サイズ検出手段を示す図
【図８】本発明の孔版印刷装置のその他の実施形態のブロック図
【図９】図８に示す実施形態の孔版印刷装置の作用を説明するためのフローチャート
【図１０】ブックモードを説明するための図
【符号の説明】
【００７３】
１０    画像読取手段
２０    製版手段
３０    印刷手段
４０    給紙手段
５０    排紙手段
６０    設定手段
７０    制御手段
１０１    ストッパー
１０２，１０３，１０４，１０５    フォトセンサ
２００    用紙サイズ検出手段
２０１    幅方向フェンス
２０２，２０６    フェンスラック
２０３，２０７    円形ギア
２０４，２０８    ポテンショメータ
２０５    長さ方向フェンス
２０６    フェンスラック
３００    ドラムサイズ検出手段
【図１】
2005262550.tif 000004
【図２】
2005262550.tif 000005
【図３】
2005262550.tif 000006
【図４】
2005262550.tif 000007
【図５】
2005262550.tif 000008
【図６】
2005262550.tif 000009
【図７】
2005262550.tif 000010
【図８】
2005262550.tif 000011
【図９】
2005262550.tif 000012
【図１０】
2005262550.tif 000013